(57)【要約】      （修正有）【課題】円環状に連結して用いる装身具の連結部分を容易に繋ぎ止めたり離したりすることができる装身具用連結留め具を提供する。【解決手段】磁石３０，３２を有し、前記磁石の吸引力によって互いに連結面１０ａ，２０ａ同士が密接して着脱可能に連結される一対の連結部材１０，２０を備え、前記一対の連結部材が、それぞれ、装身具の連結部分を係止する装身具係止部１８，２８とを有し、磁石のＮ極及びＳ極が、前記連結部材の連結面に面しており、前記連結部材の相対する前記磁石の異なる極同士が吸引し連結されることを特徴とする。【選択図】図１
0003186647.tif 000002
【実用新案登録請求の範囲】
【請求項１】
円環状に連結して用いる装身具の連結部分を繋ぎ止めるための装身具用連結留め具において、
磁石を有し、該磁石の吸引力によって互いに連結面同士が密接して着脱可能に連結される一対の連結部材を備え、
該一対の連結部材が、それぞれ、該装身具の連結部分を係止する装身具係止部とを有することを特徴とする装身具用連結留め具。
【請求項２】
前記磁石のＮ極及びＳ極が、前記連結部材の連結面に面しており、
該連結部材の相対する該磁石の異なる極同士が吸引し連結されることを特徴とする請求項１記載の装身具用連結留め具。
【請求項３】
前記一対の連結部材が、それぞれ、前記連結面から突出するフック部と、該フック部が係止される係止部とを有することを特徴とする請求項１又は請求項２記載の装身具用連結留め具。
【請求項４】
前記磁石のＮ極とＳ極とで、前記連結面との距離が異なり段差があることを特徴とする請求項１〜請求項３のいずれかに記載の装身具用連結留め具。
【請求項５】
前記装身具係止部は棒状で、一端が前記連結部材の一方の脇部分に固定され、他端が他方の前記連結部材の連結面に向かって起立しており、
一対の該連結部材が連結された状態で、それぞれの該装身具係止部が異なる側の脇部分に位置すると共に、それぞれの該装身具係止部の他端が、相対する該連結部材で封止されることを特徴とする請求項１〜請求項４のいずれかに記載の装身具用連結留め具。
【考案の詳細な説明】
【技術分野】
【０００１】
本考案は、ネックレスやブレスレット等の円環状に連結して用いる装身具の連結部分を繋ぎ止めるための装身具用連結留め具に関する。
【背景技術】
【０００２】
従来より、ネックレスやブレスレット等の円環状に連結して用いる装身具の連結部分は、クラスプと呼ばれる連結留め具によって着脱自在に連結されている。一般的に普及しているクラスプとしては、例えば特許文献１の従来技術として示されているものがある。
【０００３】
この一般的に普及しているクラスプは、一方がリング状で、他方がリング状で開閉部を有して開閉部を開閉することで他方のリング状のクラスプを引っ掛けて係合させるものである。
【先行技術文献】
【特許文献】
【０００４】
【特許文献１】実用新案登録第３０２１５６２号公報
【考案の概要】
【考案が解決しようとする課題】
【０００５】
しかしながら、従来の一般的に普及しているクラスプでは、ネックレスの場合などでは、小さな開閉部を首の後ろ側に手を回して見えないところで操作する必要があり、着脱が容易ではなかった。
【０００６】
本考案は、このような事情に鑑みてなされたもので、円環状に連結して用いる装身具の連結部分を容易に繋ぎ止めたり離したりすることができる装身具用連結留め具を提供することにある。
【課題を解決するための手段】
【０００７】
請求項１記載の装身具用連結留め具は、磁石を有し、磁石の吸引力によって互いに連結面同士が密接して着脱可能に連結される一対の連結部材を備え、一対の連結部材が、それぞれ、装身具の連結部分を係止する装身具係止部とを有することを特徴とする。
【０００８】
請求項２記載の装身具用連結留め具は、磁石のＮ極及びＳ極が、連結部材の連結面に面しており、連結部材の相対する磁石の異なる極同士が吸引し連結されることを特徴とする。
【０００９】
請求項３記載の装身具用連結留め具は、一対の連結部材が、それぞれ、連結面から突出するフック部と、フック部が係止される係止部とを有することを特徴とする。
【００１０】
請求項４記載の装身具用連結留め具は、磁石のＮ極とＳ極とで、連結面との距離が異なり段差があることを特徴とする。
【００１１】
請求項５記載の装身具用連結留め具は、装身具係止部は棒状で、一端が連結部材の一方の脇部分に固定され、他端が他方の連結部材の連結面に向かって起立しており、一対の連結部材が連結された状態で、それぞれの装身具係止部が異なる側の脇部分に位置すると共に、それぞれの装身具係止部の他端が、相対する連結部材で封止されることを特徴とする。
【考案の効果】
【００１２】
請求項１の考案によれば、磁石を有し、磁石の吸引力によって互いに連結面同士が密接して着脱可能に連結され、一対の連結部材が、それぞれ装身具の連結部分を係止する装身具係止部とを有することから、円環状に連結して用いる装身具の連結部分を容易に繋ぎ止めたり離したりすることができる。
【００１３】
請求項２の考案によれば、磁石のＮ極及びＳ極が、連結部材の連結面に面しており、連結部材の相対する磁石の異なる極同士が吸引し連結されることから、単にＮ極とＳ極だけの１組で連結される場合に比べ強固に連結され、装身具の連結部分が離れにくい。
【００１４】
請求項３の考案によれば、一対の連結部材が、それぞれ、連結面から突出するフック部と、フック部が係止される係止部とを有することから、より確実に連結させることができる。
【００１５】
請求項４の考案によれば、磁石のＮ極とＳ極とで、連結面との距離が異なり段差があることから、段差によりずれを防止し、より確実に連結状態を保持できる。
【００１６】
請求項５の考案によれば、装身具係止部は棒状で、一端が連結部材の一方の脇部分に固定され、他端が他方の連結部材の連結面に向かって起立しており、一対の連結部材が連結された状態で、それぞれの装身具係止部が異なる側の脇部分に位置すると共に、それぞれの装身具係止部の他端が、相対する連結部材で封止されることから、連結前は装身具の連結部分の着脱が用意であり、連結後は装身具の連結部分の脱落を防止できる。
【図面の簡単な説明】
【００１７】
【図１】本考案に係る装身具用連結留め具の第１の実施例を示す説明図である。
【図２】同装身具用連結留め具の使用例を示す説明図である。
【図３】同装身具用連結留め具の使用方法を示す説明図である。
【図４】本考案に係る装身具用連結留め具の第２の実施例を示す説明図である。
【図５】同装身具用連結留め具の使用方法を示す説明図である。
【図６】本考案に係る装身具用連結留め具の他の実施例を示す説明図である。
【考案を実施するための形態】
【００１８】
本考案における装身具用連結留め具は、ネックレスやブレスレット等の円環状に連結して用いる装身具の既存の一方のクラスプと他方のクラスプとの間に介在し、装身具の一方のクラスプと他方のクラスプとを着脱可能とするものである。
【００１９】
以下、本考案の形態について具体的な実施例を、図面を参照しながら説明する。
【実施例１】
【００２０】
図１は、本考案に係る装身具用連結留め具の第１の実施例を示す説明図である。図２は、同装身具用連結留め具の使用例を示す説明図である。図３は、同装身具用連結留め具の使用方法を示す説明図である。
【００２１】
図１〜図３における装身具用連結留め具１は、連結部材筐体１２，２２の内部に磁石３０，３２を有し、磁石３０，３２の吸引力によって互いに連結面１０ａ，２０ａ同士が密接して着脱可能に連結される一対の連結部材１０，２０を備え、一対の連結部材１０，２０が、それぞれ、装身具であるネックレス４のネックレス本体４ａのそれぞれの端部に設けられた連結部分であるクラスプ４ｂ，４ｃを係止する装身具係止部１８，２８とを有している。
【００２２】
磁石３０，３２は、Ｎ極及びＳ極が連結部材１０，２０の連結部材筐体１２，２２の連結面１０ａ，２０ａに面して設けられており、連結部材１０及び連結部材２０の相対する磁石３０及び磁石３２の異なる極同士が吸引し連結されるような配置となっている。尚、Ｎ極とＳ極との配置が、図１及び図３に示されるものと逆になってもかまわない。
【００２３】
また、一対の連結部材１０，２０が、それぞれ、連結面１０ａ，２０ａから突出するフック部１４，２４と、フック部１４，２４が係止される係止部１６，２６とを有している。
【００２４】
さらに、ネックレス４のクラスプ４ｂ，４ｃを係止する装身具係止部１８，２８は、棒状で、一端が連結部材１０，２０の連結部材筐体１２，２２の一方の脇部分に固定され、他端が他方の連結部材１０，２０の連結面１０ａ，２０ａに向かって起立している。そして、一対の連結部材１０，２０が連結された状態で、それぞれの装身具係止部１８，２８が連結部材１０，２０の異なる側の脇部分に位置すると共に、それぞれの装身具係止部１８，２８の他端が、相対する連結部材１０，２０（連結部材筐体１２，２２）で封止されるような構造である。尚、装身具係止部１８，２８は、ネックレス４のクラスプ４ｂ，４ｃのリング状の部分に挿入できる太さである。また、図に示す連結部材筐体１２，２２は、椀状なため、連結部材筐体１２，２２の装身具係止部１８，２８が設けられた脇部分に、ネックレス４のクラスプ４ｂ，４ｃが通過可能な筐体切欠１２ａ，２２ａが穿設されている。
【００２５】
このような構成の装身具用連結留め具１の使用方法を説明する。まず、連結部材１０，２０がそれぞれ別々に離れた状態で、一方の連結部材１０の装身具係止部１８に、ネックレス４のクラスプ４ｂを係止する。また、他方の連結部材２０の装身具係止部２８にも、ネックレス４のクラスプ４ｃを係止する（図３（ａ）参照）。そして、この状態で、連結部材１０の連結面１０ａと連結部材２０の連結面２０ａとが対向するように近づけていく（但し、連結部材１０の装身具係止部１８と連結部材２０の装身具係止部２８とが、異なる脇部分にくるように対向させる）（図３（ａ））。
【００２６】
次に、図３（ｂ）に示すように、連結部材１０の連結面１０ａと連結部材２０の連結面２０ａとが、少しずれた位置で、連結面１０ａと連結面２０ａ同士を密接させる。この時点では、対向する磁石３０と磁石３２との極は、Ｎ極とＳ極とが完全に符合していない状態であるが、図３（ｂ）の矢印方向に連結部材１０と連結部材２０とを摺動させることにより、図３（ｃ）に示すように、磁石３０と磁石３２とのＮ極とＳ極とが完全に符合した状態で、磁石３０，３２の吸引力によって互いに連結面１０ａ，２０ａ同士が密接した状態で、連結部材１０と連結部材２０とが連結される。
【００２７】
尚、本実施例の装身具用連結留め具１では、連結部材１０にフック部１４と係止部１６とを備えると共に、連結部材２０にフック部２４と係止部２６とを備えており、図３（ｂ）に示すように、連結部材１０と連結部材２０とがずれた状態で密接した上で、図３（ｂ）の矢印方向に摺動させることで、連結部材１０のフック部１４が連結部材２０の係止部２６に係止されると共に、連結部材２０のフック部２４が連結部材１０の係止部１６に係止されることになり、より確実に、連結部材１０と連結部材２０とが連結されることになる。
【００２８】
そして、図２、図３（ｃ）に示されるように、連結部材１０と連結部材２０とが連結されることにより、ネックレス４のネックレス本体４ａが、クラスプ４ｂ，４ｃ及び装身具用連結留め具１を介して円環状に連結されることになる。尚、ネックレス４のネックレス本体４ａの連結を外すときは、図３（ｂ）とは逆方向に連結部材１０と連結部材２０とを摺動させることで、磁石３０と磁石３２とのＮ極とＳ極とがずれ、逆に反発力が生じて、容易に連結を解除することができる。
【００２９】
このような実施例１の装身具用連結留め具１によれば、磁石３０，３２を有し、磁石３０，３２の吸引力によって互いに連結面１０ａ，２０ａ同士が密接して着脱可能に連結され、一対の連結部材１０，２０が、それぞれ装身具であるネックレス４の連結部分であるクラスプ４ｂ，４ｃを係止する装身具係止部１８，２８とを有することから、円環状に連結して用いるネックレス４のクラスプ４ｂ，４ｃを容易に繋ぎ止めたり離したりすることができる。
【００３０】
また、磁石３０，３２のＮ極及びＳ極が、連結部材１０，２０の連結面１０ａ，２０ａに面しており、連結部材１０，２０の相対する磁石３０，３２の異なる極同士が吸引し連結されることから、単にＮ極とＳ極だけの１組で連結される場合に比べ強固に連結され、ネックレス４のクラスプ４ｂ，４ｃが離れにくい。他方、連結部材１０，２０を分離する場合には、連結部材１０，２０を摺動させることで、磁石３０，３２のＮ極とＳ極との位置がずれて反発し合う極の影響で、容易に分離することが可能である。
【００３１】
さらに、一対の連結部材１０，２０が、それぞれ、連結面１０ａ，２０ａから突出するフック部１４，２４と、フック部１４，２４が係止される係止部１６，２６とを有することから、より確実に連結させることができる。
【００３２】
さらに、装身具係止部１８，２８は棒状で、一端が連結部材１０，２０の一方の脇部分に固定され、他端が他方の連結部材１０，２０の連結面１０ａ，２０ａに向かって起立しており、一対の連結部材１０，２０が連結された状態で、それぞれの装身具係止部１８，２８が異なる側の脇部分に位置すると共に、それぞれの装身具係止部１８，２８の他端が、相対する連結部材１０，２０で封止されることから、連結前はネックレス４のクラスプ４ｂ，４ｃの着脱が用意であり、連結後はネックレス４のクラスプ４ｂ，４ｃの脱落を防止できる。
【実施例２】
【００３３】
次に、実施例２では、磁石の形状や配置が異なる例を説明する。図４は、本考案に係る装身具用連結留め具の第２の実施例を示す説明図である。図５は、同装身具用連結留め具の使用方法を示す説明図である。
【００３４】
図４及び図５に示す装身具用連結留め具２も、実施例１の装身具用連結留め具１と同様に、連結部材筐体４２，５２の内部に磁石６０，６２，６４，６６を有し、磁石６０，６２，６４，６６の吸引力によって互いに連結面４０ａ，５０ａ同士が密接して着脱可能に連結される一対の連結部材４０，５０を備え、一対の連結部材４０，５０が、それぞれ、装身具であるネックレス４のネックレス本体４ａのそれぞれの端部に設けられた連結部分であるクラスプ４ｂ，４ｃを係止する装身具係止部４８，５８とを有している。
【００３５】
磁石６０，６２，６４，６６は、実施例１の場合と異なり、Ｎ極とＳ極とで、連結面４０ａ，５０ａとの距離が異なり段差がある。具体的には、連結部材筐体４２には、磁石６０と磁石６２とが設けられているが、磁石６０は、連結面４０ａに対して面しつつ、Ｎ極が連結面４０ａよりも突出している。これに対し、磁石６２は、連結面４０ａに対して面しつつ、Ｓ極が連結面４０ａよりも下がっている。また、連結部材筐体５２には、磁石６４と磁石６６とが設けられているが、磁石６４は、Ｎ極が連結面５０ａに対して面しつつ、連結面５０ａよりも突出している。これに対し、磁石６６は、連結面５０ａに対して面しつつ、Ｓ極が連結面５０ａよりも下がっている。このように、磁石６０，６２，６４，６６のＮ極とＳ極とで、連結面４０ａ，５０ａとの距離が異なり段差がある。そして、連結部材４０及び連結部材５０の相対する磁石６０，６２，６４，６６の異なる極同士が吸引し連結されるような配置となっている。尚、Ｎ極とＳ極との配置が、図４に示されるものと逆になってもかまわない。
【００３６】
尚、装身具用連結留め具２の連結部材４０，５０は、実施例１と異なり、連結面１０ａ，２０ａから突出するフック部１４，２４と、フック部１４，２４が係止される係止部１６，２６とを有していない。一方、ネックレス４のクラスプ４ｂ，４ｃを係止する装身具係止部４８，５８は、実施例１の場合と同様である。
【００３７】
このような構成の装身具用連結留め具２の使用方法を説明する。まず、連結部材４０，５０がそれぞれ別々に離れた状態で、一方の連結部材４０の装身具係止部４８に、ネックレス４のクラスプ４ｂを係止する。また、他方の連結部材５０の装身具係止部５８にも、ネックレス４のクラスプ４ｃを係止する（図４（ａ）参照）。そして、この状態で、連結部材４０の連結面４０ａと連結部材５０の連結面５０ａとが対向するように近づけていく（但し、連結部材４０の装身具係止部４８と連結部材５０の装身具係止部５８とが、異なる脇部分にくるように対向させる）（図４（ａ））。
【００３８】
次に、図４（ｂ）に示すように、連結部材４０の連結面４０ａと連結部材５０の連結面５０ａ同士を密接させる。磁石６０，６２，６４，６６のＮ極とＳ極とが完全に符合した状態で、磁石６０，６２，６４，６６の吸引力によって互いに連結面４０ａ，５０ａ同士が密接した状態で、連結部材４０と連結部材５０とが連結される。
【００３９】
そして、図４（ｂ）に示されるように、連結部材４０と連結部材５０とが連結されることにより、ネックレス４のネックレス本体４ａが、クラスプ４ｂ，４ｃ及び装身具用連結留め具２を介して円環状に連結されることになる。尚、ネックレス４のネックレス本体４ａの連結を外すときは、図５に示すように、連結部材４０と連結部材５０とをねじるように摺動させることで、磁石６０，６２，６４，６６のＮ極とＳ極とがずれ、逆に反発力が生じて、容易に連結を解除することができる。
【００４０】
このような実施例２の装身具用連結留め具２によれば、実施例１の装身具用連結留め具１と共通する構造においては同様の効果を有すると共に、磁石６０，６２，６４，６６のＮ極とＳ極とで、連結面４０ａ，５０ａとの距離が異なり段差があることから、段差によりずれを防止し、より確実に連結状態を保持できる。
【００４１】
尚、実施例１及び実施例２の装身具用連結留め具１，２では、装身具係止部１８，２８，４８，５８が、連結部材１０，２０，４０，５０の連結部材筐体１２，２２，４２，５２の内部に設けられているが、このような構造に限られるものではなく、例えば、図６に示されるような構造であってもよい。図６は、本考案に係る装身具用連結留め具の他の実施例を示す説明図である。
【００４２】
図６に示す装身具用連結留め具３は、連結部材７０，８０を備え、連結部材７０，８０が、連結部材筐体７２，８２からなり、フック部７４，８４、係止部７６，８６、磁石９０，９２を有することは実施例１の装身具用連結留め具１と同様である。但し、装身具用連結留め具３は、装身具用連結留め具１，２と異なり、円環状の装身具係止部７８，８８が、連結部材筐体７２，８２の異なる側の脇部分の外側に設けられている。
【００４３】
装身具用連結留め具３を使用する場合には、連結部材７０の装身具係止部７８に、ネックレス６のクラスプ６ｂを係止し、連結部材８０の装身具係止部８８にも、ネックレス６のクラスプ６ｃを係止し、そして、連結部材７０，８０の着脱を行うことで、ネックレス６のネックレス本体６ａが装身具用連結留め具３を介して円環状に連結・離脱できることとなる。
【００４４】
尚、装身具係止部７８，８８の形状は、単なる円環状に限られるものではなく、ネックレス４のクラスプ６ｂ，６ｃを係止可能であればよく、例えば、円環状で円環部が開閉できるような構造であってもよい。
【産業上の利用可能性】
【００４５】
本考案により、円環状に連結して用いる装身具の連結部分を容易に繋ぎ止めたり離したりすることができる装身具用連結留め具を提供することができる。
【符号の説明】
【００４６】
１・・・・・装身具用連結留め具
２・・・・・装身具用連結留め具
３・・・・・装身具用連結留め具
４・・・・・ネックレス
４ａ・・・・ネックレス本体
４ｂ・・・・クラスプ
４ｃ・・・・クラスプ
６・・・・・ネックレス
６ａ・・・・ネックレス本体
６ｂ・・・・クラスプ
６ｃ・・・・クラスプ
１０・・・・連結部材
１０ａ・・・連結面
１２・・・・連結部材筐体
１２ａ・・・筐体切欠
１４・・・・フック部
１６・・・・係止部
１８・・・・装身具係止部
２０・・・・連結部材
２０ａ・・・連結面
２２・・・・連結部材筐体
２２ａ・・・筐体切欠
２４・・・・フック部
２６・・・・係止部
２８・・・・装身具係止部
３０・・・・磁石
３２・・・・磁石
４０・・・・連結部材
４０ａ・・・連結面
４２・・・・連結部材筐体
４８・・・・装身具係止部
５０・・・・連結部材
５０ａ・・・連結面
５２・・・・連結部材筐体
５８・・・・装身具係止部
６０・・・・磁石
６２・・・・磁石
６４・・・・磁石
６６・・・・磁石
７０・・・・連結部材
７２・・・・連結部材筐体
７４・・・・フック部
７６・・・・係止部
７８・・・・装身具係止部
８０・・・・連結部材
８２・・・・連結部材筐体
８４・・・・フック部
８６・・・・係止部
８８・・・・装身具係止部
９０・・・・磁石
９２・・・・磁石
【図１】
0003186647.tif 000003
【図２】
0003186647.tif 000004
【図３】
0003186647.tif 000005
【図４】
0003186647.tif 000006
【図５】
0003186647.tif 000007
【図６】
0003186647.tif 000008